【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
画面表示データ群を記憶した記憶装置と、
画面の表示制御条件の入力を受け付ける入力手段と、
前記記憶装置に記憶されたいずれかの画面表示データを選択して読み出し、当該画面表示データに応じた画面を表示装置に表示させる画面表示制御手段であって、前記入力手段により受け付けられた表示制御条件に基づいて、当該画面の表示を開始する表示開始時刻と当該表示を終了する表示終了時刻とを制御する画面表示制御手段と、
前記入力手段により受け付けられた表示制御条件に基づいて、画面の表示を開始する表示開始時刻に再生装置を起動させ当該再生装置から出力されるデータに応じた画面を前記表示装置に表示させる再生処理を開始させるためのパラメータを指定する指定手段と、
前記指定手段によって指定されたパラメータに基づいて前記再生装置を制御し、当該パラメータにおける表示開始時刻に当該再生装置を起動させて前記再生処理を開始させる外部制御手段と
を備えることを特徴とするコンテンツ制御装置。
【請求項２】
前記画面表示制御手段は、前記再生装置において前記再生処理の準備が完了するまでの期間又は前記再生装置による再生処理が終了してから他の再生装置による再生処理に移行するまでの期間に、予め決められた基本画面を前記表示装置に表示させる
ことを特徴とする請求項１に記載のコンテンツ制御装置。
【請求項３】
前記指定手段は、前記入力手段により受け付けられた表示制御条件に基づいて、画面の表示を終了する表示終了時刻にビデオ再生装置にテープを巻き戻す巻き戻し処理を開始させるためのパラメータを指定し、
前記外部制御手段は、前記指定手段によって指定されたパラメータに基づいて前記ビデオ再生装置を制御し、当該パラメータにおける前記表示開始時刻から前記表示終了時刻までの期間、当該ビデオ再生装置に前記再生処理を実行させ、当該表示終了時刻に当該再生処理が終了すると、前記巻き戻し処理を実行させる
ことを特徴とする請求項１又は２に記載のコンテンツ制御装置。
【請求項４】
コンピュータを、
画面表示データ群を記憶した記憶装置に記憶されたいずれかの画面表示データを選択して読み出し、当該画面表示データに応じた画面を表示装置に表示させる画面表示制御手段であって、画面の表示制御条件の入力を受け付ける入力手段により受け付けられた表示制御条件に基づいて、当該画面の表示を開始する表示開始時刻と当該表示を終了する表示終了時刻とを制御する画面表示制御手段と、
前記入力手段により受け付けられた表示制御条件に基づいて、画面の表示を開始する表示開始時刻に再生装置を起動させ当該再生装置から出力されるデータに応じた画面を前記表示装置に表示させる再生処理を開始させるためのパラメータを指定する指定手段と、
前記指定手段によって指定されたパラメータに基づいて前記再生装置を制御し、当該パラメータにおける表示開始時刻に当該再生装置を起動させて前記再生処理を開始させる外部制御手段
として機能させるためのプログラム。
【手続補正２】
【補正対象書類名】明細書
【補正対象項目名】発明の名称
【補正方法】変更
【補正の内容】
【発明の名称】コンテンツ制御装置及びプログラム
【手続補正３】
【補正対象書類名】明細書
【補正対象項目名】０００１
【補正方法】変更
【補正の内容】
【０００１】
本発明は、表示装置を用いた様々なプロモーションコンテンツを自由に容易に設定できる技術に関する。
【手続補正４】
【補正対象書類名】明細書
【補正対象項目名】０００３
【補正方法】変更
【補正の内容】
【０００３】
ここで、従来の技術には、次のような解決すべき課題があった。
既知のシステムでは、コンテンツをインターネット等を通じて受信し、これをディスプレイに表示している。さらに、例えばＤＶＤ装置やビデオ再生装置（ＶＴＲ）などの機器で再生される画像も、プロモーションコンテンツの対象に含めたい。しかしながら、これらのソースを利用するには、人手によりＤＶＤ装置をセットしたりビデオテープを巻き戻して再生装置に装着するといった煩雑な作業が要求される。本発明は、以上の点に着目してなされたもので、コンピュータに内蔵されたデータだけでなく任意の機器の出力も含めて、表示装置を自動制御するための仕組みを提供することを目的とする。
【手続補正５】
【補正対象書類名】明細書
【補正対象項目名】０００４
【補正方法】変更
【補正の内容】
【０００４】
本発明は、画面表示データ群を記憶した記憶装置と、画面の表示制御条件の入力を受け付ける入力手段と、前記記憶装置に記憶されたいずれかの画面表示データを選択して読み出し、当該画面表示データに応じた画面を表示装置に表示させる画面表示制御手段であって、前記入力手段により受け付けられた表示制御条件に基づいて、当該画面の表示を開始する表示開始時刻と当該表示を終了する表示終了時刻とを制御する画面表示制御手段と、前記入力手段により受け付けられた表示制御条件に基づいて、画面の表示を開始する表示開始時刻に再生装置を起動させ当該再生装置から出力されるデータに応じた画面を前記表示装置に表示させる再生処理を開始させるためのパラメータを指定する指定手段と、前記指定手段によって指定されたパラメータに基づいて前記再生装置を制御し、当該パラメータにおける表示開始時刻に当該再生装置を起動させて前記再生処理を開始させる外部制御手段とを備えることを特徴とするコンテンツ制御装置を提供する。
前記画面表示制御手段は、前記再生装置において前記再生処理の準備が完了するまでの期間又は前記再生装置による再生処理が終了してから他の再生装置による再生処理に移行するまでの期間に、予め決められた基本画面を前記表示装置に表示させてもよい。
前記指定手段は、前記入力手段により受け付けられた表示制御条件に基づいて、画面の表示を終了する表示終了時刻にビデオ再生装置にテープを巻き戻す巻き戻し処理を開始させるためのパラメータを指定し、前記外部制御手段は、前記指定手段によって指定されたパラメータに基づいて前記ビデオ再生装置を制御し、当該パラメータにおける前記表示開始時刻から前記表示終了時刻までの期間、当該ビデオ再生装置に前記再生処理を実行させ、当該表示終了時刻に当該再生処理が終了すると、前記巻き戻し処理を実行させてもよい。
また、本発明は、コンピュータを、画面表示データ群を記憶した記憶装置に記憶されたいずれかの画面表示データを選択して読み出し、当該画面表示データに応じた画面を表示装置に表示させる画面表示制御手段であって、画面の表示制御条件の入力を受け付ける入力手段により受け付けられた表示制御条件に基づいて、当該画面の表示を開始する表示開始時刻と当該表示を終了する表示終了時刻とを制御する画面表示制御手段と、前記入力手段により受け付けられた表示制御条件に基づいて、画面の表示を開始する表示開始時刻に再生装置を起動させ当該再生装置から出力されるデータに応じた画面を前記表示装置に表示させる再生処理を開始させるためのパラメータを指定する指定手段と、前記指定手段によって指定されたパラメータに基づいて前記再生装置を制御し、当該パラメータにおける表示開始時刻に当該再生装置を起動させて前記再生処理を開始させる外部制御手段として機能させるためのプログラムを提供する。
【手続補正６】
【補正対象書類名】明細書
【補正対象項目名】０００５
【補正方法】変更
【補正の内容】
【０００５】
本発明の各実施例においては、それぞれ次のような構成により上記の課題を解決する。
〈構成１〉  任意の画面表示データ群を記憶した記憶装置と、上記画面の表示制御条件の入力を受け付ける入力手段と、上記入力手段により受け付けられた画面表示制御条件に基づいて、上記画面の表示を制御するための画面表示制御モジュールと、当該画面の表示中にバックグラウンドで実行される外部アプリケーションを制御するための外部制御モジュールとを生成するモジュール生成手段とを備え、上記画面表示制御モジュールは、上記記憶装置に記憶されたいずれかの画面表示データを選択して読み出す読み出し制御手段と、当該画面表示データによる画面を表示装置に転送して表示させる画面転送手段と、この画面の表示開始時刻と表示終了時刻を制御する時刻制御手段とを制御し、上記外部制御モジュールは、上記外部アプリケーションを起動させるコマンドと終了させるコマンドのいずれか一方もしくは両方を、上記画面の表示開始時刻と表示終了時刻の間の指定されたタイミングで送出するコマンド送出手段を制御することを特徴とするプロモーションコンテンツ制御システム。
モジュール生成手段を利用すると、表示装置で画面を自動的に表示するための画面表示制御モジュールを、簡単にセットできる。また、画面表示と同時に、外部アプリケーションの起動や停止を自動制御する外部制御モジュールを、簡単にセットできる。なお、表示中の画面の表示制御にかかわるもの以外は全て外部アプリケーションである。これにより、例えば、広告用のディスプレイ装置による広告表示パタンを自由にプランニングできる。